(57)【要約】      （修正有）【課題】従来に比して一段と簡易に腹筋を強化することができるウエストベルトを提供する。【解決手段】腹筋の弛緩を検出する検出部ＳＷ１と、この検出結果に基づいて、腹筋の弛緩をユーザーに通知する通知部とを設ける。常に腹筋を緊張させるようにユーザーに注意を促すことができ、腹筋を強化することができる。また腹筋が弛緩したことの注意を振動子の振動によりユーザーに通知することにより、何ら他人には知られることなく、腹筋の弛緩をユーザーに通知することができる。【選択図】図１
0003155482.tif 000002
【実用新案登録請求の範囲】
【請求項１】
腹部に巻き付けて装着するウエストベルトにおいて、
腹筋の弛緩を検出する検出部と、
前記検出部の検出結果に基づいて、腹筋の弛緩をユーザーに通知する通知部とを有する
ことを特長とするウエストベルト。
【請求項２】
前記通知部は、
振動子を有し、前記振動子による振動により腹筋の弛緩をユーザーに通知する
ことを特徴とする請求項１に記載のウエストベルト。
【考案の詳細な説明】
【技術分野】
【０００１】
本考案は、腹筋の強化に使用するウエストベルトに関するものである。
【背景技術】
【０００２】
従来、各種の筋力強化用の器具が提供されている。これらの器具のうち、いわゆるトレーニングジム等で使用の運動補助器具は、使用者の運動に適度な負荷を与えて筋力を強化する。また従来、電気的刺激により筋力を強化する器具も提供されており、例えば特開２００６−２７１６８９号公報には、医療用に筋力を強化する工夫が提案されている。
【先行技術文献】
【特許文献】
【０００３】
【特許文献１】特開２００６−２７１６８９号公報
【考案の概要】
【考案が解決しようとする課題】
【０００４】
ところで従来に比して一段と簡易に腹筋を強化することができれば、便利であると考えられる。
【０００５】
本考案は、以上の点を考慮してなされたもので、従来に比して一段と簡易に腹筋を強化することができるウエストベルトを提案することを目的とする。
【課題を解決するための手段】
【０００６】
前記目的を達成するため、本考案は次に記載する構成を備えている。
【０００７】
（１）腹部に巻き付けて装着するウエストベルトにおいて、腹筋の弛緩を検出する検出部と、前記検出部の検出結果に基づいて、腹筋の弛緩をユーザーに通知する通知部とを有することを特長とするウエストベルト。
【０００８】
（２）（１）において、前記通知部は、振動子を有し、前記振動子による振動により腹筋の弛緩をユーザーに通知することを特徴とする請求項１に記載のウエストベルト。
【考案の効果】
【０００９】
本考案によれば、常に腹筋を緊張させるようにユーザーに注意を促すことができ、腹筋を強化することができる。
【００１０】
また腹筋が弛緩したことの注意を振動子の振動によりユーザーに通知することにより、何ら他人には知られることなく、腹筋の弛緩をユーザーに通知することができる。
【図面の簡単な説明】
【００１１】
【図１】本考案の第１の実施の形態に係るウエストベルトの一部を示す図である。
【図２】本考案の第１の実施の形態に係るウエストベルトを示す図である。
【考案を実施するための形態】
【００１２】
以下、本考案の実施形態について図面を参照しながら詳述する。
（１）第１の実施の形態
【００１３】
図２は、本考案の第１の実施の形態に係るウエストベルトを示す斜視図である。このウエストベルト１は、ズボンのベルトのように、腹部に巻き付けて装着する。このためウエストベルト１は、布製、皮製等による帯状部材であるベルト部２の両端に、雄バックル３及び雌バックル４が設けられる。また雌バックル４に近接した部位には、雄バックル３及び雌バックル４を結ぶベルト部２の長さを調節する長さ調節機構５が設けられる。これによりウエストベルト１は、長さ調節機構５により長さを調節して腹部にきつく巻き付けて装着できるように構成される。なおこの図２では、長さ調節機構としてリング状の部材を使用する場合を示しているが、長さ調節機構としては、一般のベルトに使用する長さ調節機構を種々に適用することができる。また同様に、この図２では、雄バックル３を雌バックル４に差し込んでウエストベルト１を装着する場合を示しているが、一般のベルトに使用する各種の装着機構を広く適用することができる。
【００１４】
雄バックル３は、ベルト部２側に、弛緩検出部６が設けられる。ここで弛緩検出部６は、腹筋の弛緩を検出してユーザーに通知する部位である。なお弛緩検出部６は、雌バックル４側に設けるようにしてもよく、さらにはベルト部２の途中に設けるようにしてもよい。
【００１５】
ここで図１は、この弛緩検出部６を周辺構成と共に詳細に示す略線図である。ベルト部２は、弛緩検出部６側端に、金属製の保持部材であるスライダ６Ａが設けられる。弛緩検出部６は、矢印Ａ及びＢにより示すように、抜き差しする方向に、このスライダ６Ａを摺動自在に保持する。さらに弛緩検出部６は、引き込む方向にばね６Ｂにより付勢してスライダ６Ａを保持する。これにより弛緩検出部６は、腹筋が弛緩してウエストのサイズが大きくなると、ばね６Ｂを押圧してベルト部２が引き出される。なおこの図１の例では、ばね６Ｂに圧縮コイルバネを適用してスライス部６Ａを保持する場合について述べたが、これに代えて引っ張りバネ等を適用しても良い。
【００１６】
弛緩検出部６は、このベルト部２の引き出しによりオン状態に動作を切り替える弛緩検出スイッチＳＷ１が設けられる。弛緩検出部６は、この弛緩検出スイッチＳＷ１、電源スイッチＳＷ２の直列回路を介して、電池７の電源が、振動子８に供給される。ここで振動子８は、電源の供給により振動してユーザーに振動を伝える構成であり、この実施の形態では、偏心して配置した分銅の回転駆動により振動を発生させるいわゆる振動モーターが適用される。なお振動モーターに代えて例えばボイスコイルモータ等、各種の構成を広く適用することができる。
【００１７】
これにより弛緩検出部６は、スイッチＳＷ１により腹筋の弛緩を検出する検出部を構成し、電池７、振動子８により腹筋の弛緩を通知する通知部を構成する。
【００１８】
以上の構成において、このウエストベルト１では、腹筋を緊張させてウエストサイズを小さくした状態で、長さ調節機構５により長さを調節して腹部にきつく巻き付けて装着し、この状態で電源スイッチＳＷ２をオン状態に設定することにより装着が完了する。この状態でウエストベルト１を装着したユーザーは、腹筋を緊張させた状態に保持することになり、腹筋を強化することができる。また腹筋を緊張させていることにより、姿勢も良好に保つことができる。
【００１９】
しかしながら仕事等に熱中すると、腹筋への意識が削がれ、腹筋を弛緩させてしまうことになる。この場合、ウエストベルト１では、腹筋の弛緩によりウエストサイズが大きくなると、これに伴い矢印Ａにより示すように（図１）、ベルト部２が弛緩検出部６から引き出され、その結果、スイッチＳＷ１がオン状態に動作を切り替える。ウエストベルト１では、このスイッチＳＷ１のオン動作により振動子８に電池７の電源が供給され、振動子８の振動により腹筋の弛緩がユーザーに通知される。
【００２０】
この通知によりユーザーは、腹筋への意識が削がれていることを認識することができる。これによりユーザーにおいて、改めて腹筋を緊張させると、ウエストサイズが小さくなることにより、矢印Ｂにより示すように（図１）、ベルト部２がばね６Ｂの力で弛緩検出部６に引き込まれ、スイッチＳＷ１がオフ状態に動作を切り替えて振動子８の振動が停止する。
【００２１】
これによりこのウエストベルト１によれば、常に腹筋を緊張させるようにユーザーに注意を促すことができ、その結果、腹筋を強化することができる。また腹筋を緊張させていることにより、姿勢も良好に保つことができる。またダイエットの補助器具としても使用することもできる。
【００２２】
また腹筋が弛緩したことの注意を振動子の振動によりユーザーに通知することにより、何ら他人には知られることなく、腹筋の弛緩をユーザーに通知することができ、その結果、このウエストベルト１の使用範囲を格段的に拡大することができる。
【符号の説明】
【００２３】
１  ウエストベルト
２  ベルト部
３  雄バックル
４  雌バックル
５  長さ調整部
６  弛緩検出部
６Ａ、６Ｂ  ばね
７  電池
８  振動子
ＳＷ１、ＳＷ２  スイッチ
【図１】
0003155482.tif 000003
【図２】
0003155482.tif 000004